(57)【要約】【課題】  既設サッシ及び既設額縁を、新設のサッシ及び新設の額縁に交換可能な簡易な窓交換方法を提供する。【解決手段】  既設窓１０を新設窓１１０に交換する窓交換方法である。この窓交換方法は、既設サッシ１１に、開口１１ｄを形成する開口形成工程と、既設サッシ１１を枠材５１に取り付けている既設サッシ取付具（リベット９０Ａ）を、開口１１ｄを通して取り外して、既設サッシ１１を取り外す既設サッシ取外工程と、内壁３０を切断して既設額縁２０を取り外す既設額縁取外工程と、新設額縁１２０を内壁３０に取り付ける新設額縁取付工程と、新設サッシ１１１を枠材５１に取り付ける新設サッシ取付工程と、を含む。【選択図】図３
2020041271.tif 000002
【特許請求の範囲】
【請求項１】
既設窓を新設窓に交換する窓交換方法であって、
既設サッシに、開口を形成する開口形成工程と、
前記既設サッシを枠材に取り付けている既設サッシ取付具を、前記開口を通して取り外して、前記既設サッシを取り外す既設サッシ取外工程と、
内壁を切断して既設額縁を取り外す既設額縁取外工程と、
新設額縁を前記内壁に取り付ける新設額縁取付工程と、
新設サッシを前記枠材に取り付ける新設サッシ取付工程と、を含む
ことを特徴とする、窓交換方法。
【請求項２】
前記新設額縁の幅は、前記既設額縁の幅より大きい
ことを特徴とする、請求項１に記載の窓交換方法。
【請求項３】
前記新設額縁の奥行は、前記新設サッシの奥行に合わせて調整可能である
ことを特徴とする、請求項１又は２に記載の窓交換方法。
【請求項４】
新設窓を取り付ける窓取付構造であって、
新設サッシを枠材に固定するための固定金具と、
前記固定金具を覆うように配置されるシール材と、を備える
ことを特徴とする、窓取付構造。
【請求項５】
新設額縁は、額縁固定手段によって内壁に固定される
ことを特徴とする、請求項４に記載の窓取付構造。
【発明の詳細な説明】
【技術分野】
【０００１】
本発明は、既設窓を新設窓に交換する窓交換方法及び窓取付構造に関するものである。
【背景技術】
【０００２】
従来、既設サッシの周囲の外壁を残存させたまま、既設サッシを新設サッシに交換する方法が知られている（例えば、特許文献１参照）。
【０００３】
特許文献１には、既設開口枠と既設サッシ周囲の外壁構造を残存させたまま既設サッシを撤去し、新設開口枠を既設開口枠に重ね合わせて貼付し、新設サッシを残存した外壁構造に取り付けることにより、既設サッシを新設サッシに交換する方法が開示されている。
【先行技術文献】
【特許文献】
【０００４】
【特許文献１】特開２０１０−０２４６８３号公報
【発明の概要】
【発明が解決しようとする課題】
【０００５】
しかしながら、特許文献１は、既設額縁を新設額縁に交換する方法を開示していない。
【０００６】
そこで、本発明は、既設サッシ及び既設額縁を、新設サッシ及び新設額縁に交換可能な簡易な窓交換方法及び窓取付構造を提供することを目的としている。
【課題を解決するための手段】
【０００７】
前記目的を達成するために、本発明の窓交換方法は、既設窓を新設窓に交換する窓交換方法であって、既設サッシに、開口を形成する開口形成工程と、前記既設サッシを枠材に取り付けている既設サッシ取付具を、前記開口を通して取り外して、前記既設サッシを取り外す既設サッシ取外工程と、内壁を切断して既設額縁を取り外す既設額縁取外工程と、新設額縁を前記内壁に取り付ける新設額縁取付工程と、新設サッシを前記枠材に取り付ける新設サッシ取付工程と、を含むことを特徴とする。
【０００８】
ここで、本発明の窓交換方法では、前記新設額縁の幅は、前記既設額縁の幅より大きくてもよい。
【０００９】
また、本発明の窓交換方法では、前記新設額縁の奥行は、前記新設サッシの奥行に合わせて調整可能であってもよい。
【００１０】
また、本発明の窓取付構造では、新設窓を取り付ける窓取付構造であって、新設サッシを枠材に固定するための固定金具と、前記固定金具を覆うように配置されるシール材と、を備えてもよい。
【００１１】
さらに、本発明の窓取付構造では、新設額縁は、額縁固定手段によって内壁に固定されてもよい。
【発明の効果】
【００１２】
このように構成された本発明の窓交換方法では、既設サッシに、開口を形成する開口形成工程と、既設サッシを枠材に取り付けている既設サッシ取付具を、開口を通して取り外して、既設サッシを取り外す既設サッシ取外工程と、内壁を切断して既設額縁を取り外す既設額縁取外工程と、新設額縁を内壁に取り付ける新設額縁取付工程と、新設サッシを前記枠材に取り付ける新設サッシ取付工程と、を含む。そのため、既設の内壁を利用しつつ、既設サッシ及び既設額縁を新設サッシ及び新設額縁に交換することができる。その結果、既設窓を新設窓に交換する交換工事を簡略化することができる。
【００１３】
また、新設額縁の幅を既設額縁の幅より大きくすることで、既設サッシの幅方向及び高さ方向と同じ大きさの新設サッシに交換することができる。
【００１４】
また、新設額縁の奥行を新設サッシの奥行に合わせて調整可能とすることで、外壁の表面に対する既設サッシの位置と新設サッシの位置を、同じ位置にすることができる。また、内壁の表面に対する既設額縁の位置と新設額縁の位置を、同じ位置にすることができる。そのため、既設窓から新設窓への交換の前後で、同じ見栄えとすることができる。
【００１５】
また、新設サッシを枠材に固定するための固定金具と、固定金具を覆うように配置されるシール材と、を備えることで、固定金具をシール材で隠すことができるので、見栄えのよい外観とすることができる。
【００１６】
また、新設額縁を額縁固定手段によって内壁に固定することで、内壁の縁部を、新設額縁で覆うことができる。そのため、内壁の縁部を補修することなく、新設窓を取り付けることができる。
【図面の簡単な説明】
【００１７】
【図１】実施例１のユニット建物の構成を示す斜視図である。
【図２】実施例１の既設窓の構成を示す横断面図である。
【図３】実施例１の新設窓の構成を示す横断面図である。
【図４】実施例１の窓の交換方法のガスケット取外工程を説明する説明図である。
【図５】実施例１の窓の交換方法の開口形成工程と既設サッシ取外工程を説明する説明図である。
【図６】実施例１の窓の交換方法の既設サッシ取外工程を説明する説明図である。
【図７】実施例１の窓の交換方法の既設額縁取外工程を説明する説明図である。
【図８】実施例１の窓の交換方法の新設額縁取付工程を説明する説明図である。
【図９】実施例１の窓の交換方法の新設サッシ取付工程を説明する説明図である。
【図１０】実施例１の窓の交換方法のガスケット取付工程を説明する説明図である。
【発明を実施するための形態】
【００１８】
以下、本開示による窓交換方法及び窓取付構造を実現する実施形態を、図面に示す実施例１に基づいて説明する。
【実施例１】
【００１９】
実施例１における窓交換方法及び窓取付構造は、工場で予め製造された建物ユニットを建築現場へ搬送して、建築現場で複数の建物ユニットを並べて組み立てることによって構築するユニット建物に適用される。
【００２０】
［ユニット建物の構成］
図１は、実施例１のユニット建物の構成を示す斜視図である。以下、図１に基づいて、実施例１のユニット建物の構成を説明する。
【００２１】
ユニット建物１は、基礎２の上に下階の建物ユニット３が複数設置され、下階の建物ユニット３の上に上階の建物ユニット４が複数設置され、上階の建物ユニット４の上に屋根５が設置される。
【００２２】
建物ユニット３，４は、隅角部に配置される角形鋼管から成る柱と、柱の下端部間を連結した溝形鋼から成る床大梁と、柱の上端部間を連結した溝形鋼から成る天井大梁と、からなる骨組構造体である。建物ユニット３，４には、複数の窓（既設窓１０，新設窓１１０）が設けられる。
【００２３】
［窓の構成］
図２は、実施例１の既設窓の構成を示す横断面図である。図３は、実施例１の新設窓の構成を示す横断面図である。以下、図２及び図３に基づいて、実施例１の窓の構成を説明する。
【００２４】
（既設窓）
既設窓１０は、図２に示すように、枠状に形成された既設サッシ１１と、既設サッシ１１に対して着脱可能な既設窓本体１５と、枠状に形成された既設額縁２０と、を備える。
【００２５】
既設サッシ１１は、枠状に形成され、外壁４０の開口に埋め込まれるように配置される。既設サッシ１１は、外壁４０の開口の縁に沿って形成される縁部１１ａと、縁部１１ａから屋内側に延在する延在部１１ｂと、延在部１１ｂの先端に設けられる段部１１ｃと、を有する。
【００２６】
既設サッシ１１の縁部１１ａは、屋内側から既設サッシ取付具としての複数のリベット９０Ａによって、溝型鋼の枠材５１に取り付けられる。既設サッシ１１の延在部１１ｂは、複数のビス９０Ｂによって、枠材５１に取り付けられる。既設サッシ１１の段部１１ｃは、複数のビス９０Ｃによって、既設額縁２０に取り付けられる。既設サッシ１１の延在部１１ｂは、奥行（奥行方向の長さ）Ｌ１を有する。
【００２７】
既設サッシ１１の縁部１１ａと、外壁４０との間には、複数のリップ５２ａを有するシール材としてのガスケット５２が配置される。
【００２８】
既設窓本体１５は、単板ガラス（シングルガラス）の引き違い窓であり、既設サッシ１１の延在部１１ｂに設けられたレールに沿って移動可能である。
【００２９】
内壁３０は、内壁本体としての石膏ボード３１と、石膏ボード３１の縁に枠状に形成される縁材３２と、石膏ボード３１と縁材３２とに貼り付けられる壁紙（クロス）３３と、で構成される。
【００３０】
既設額縁２０は、例えば、木製で枠状に形成される。既設額縁２０は、正面部２０ａと、正面部２０ａから屋外側に向けて延在する奥行部２０ｂと、で断面Ｌ字状に形成される。
【００３１】
正面部２０ａは、既設額縁の正面部分を形成する。正面部２０ａは、幅Ｗ１を有する。奥行部２０ｂは、既設額縁２０の奥行部分を形成する。奥行部２０ｂは、奥行Ｎ１を有する。
【００３２】
既設額縁２０は、正面部２０ａと内壁３０の縁材３２とで、壁紙３３を挟むように配置される。既設額縁２０は、内壁３０の縁材３２の端面３２ａを覆うように配置される。
【００３３】
（新設窓）
新設窓１１０は、図３に示すように、枠状に形成された新設サッシ１１１と、新設サッシ１１１に対して着脱可能な新設窓本体１１５と、枠状に形成された新設額縁１２０と、を備える。
【００３４】
新設サッシ１１１は、枠状に形成され、外壁４０の開口に埋め込まれるように配置される。新設サッシ１１１は、外壁４０の開口の縁に沿って形成される縁部１１１ａと、縁部１１１ａから屋内側に延在する延在部１１１ｂと、延在部１１１ｂの先端に設けられる段部１１１ｃと、を有する。
【００３５】
新設サッシ１１１の縁部１１１ａには、新設サッシ１１１を枠材５１に取り付けるための固定金具としてのＬ字金具１６１が取り付けられる。新設サッシ１１１の縁部１１１ａは、Ｌ字金具１６１を介して、屋外側からビス１９０Ａによって、枠材５１に取り付けられる。
【００３６】
新設サッシ１１１の延在部１１１ｂは、ビス１９０Ｂによって、枠材５１に取り付けられる。新設サッシ１１１の段部１１１ｃは、ビス１９０Ｃによって、新設額縁１２０に取り付けられる。新設サッシ１１１の延在部１１１ｂは、奥行Ｌ１より長い奥行Ｌ２を有する。
【００３７】
新設サッシ１１１の縁部１１１ａと、外壁４０との間には、複数のリップ５２ａを有するガスケット５２が配置される。
【００３８】
新設窓本体１１５は、ペアガラスの引き違い窓であり、新設サッシ１１１の延在部１１１ｂに設けられたレールに沿って移動可能である。
【００３９】
新設額縁１２０は、例えば、木製で枠状に形成される。新設額縁１２０は、正面部１２０ａと、正面部１２０ａから屋外側に向けて延在する奥行部１２０ｂと、で断面Ｌ字状に形成される。
【００４０】
正面部１２０ａは、新設１２０額縁の正面部分を形成する。正面部１２０ａは、幅Ｗ１より長い幅Ｗ２を有する。
【００４１】
奥行部１２０ｂは、新設額縁１２０の奥行部分を形成する。奥行部１２０ｂは、奥行Ｎ１より短い奥行Ｎ２を有する。既設サッシ１１の延在部１１ｂの奥行Ｌ１と既設額縁２０の奥行部２０ｂの奥行Ｎ１との和は、新設サッシ１１１の延在部１１１ｂの奥行Ｌ２と新設額縁１２０の奥行部１２０ｂの奥行Ｎ２との和と同じになるように、新設額縁１２０の奥行部１２０ｂの奥行Ｎ２は、調整可能である。
【００４２】
新設額縁１２０は、正面部１２０ａと内壁３０の縁材３２とで、壁紙３３を挟むように配置される。新設額縁１２０は、内壁３０の縁材３２の切断面１３２ａを覆うように配置されて、額縁固定手段としてのビス１９０Ｄによって、内壁３０の縁材３２に取り付けられる。ビス１９０Ｄは、化粧ビスとすることが望ましい。
【００４３】
［窓の交換方法］
図４は、実施例１の窓の交換方法のガスケット取外工程を説明する説明図である。図５は、実施例１の窓の交換方法の開口形成工程と既設サッシ取外工程を説明する説明図である。図６は、実施例１の窓の交換方法の既設サッシ取外工程を説明する説明図である。図７は、実施例１の窓の交換方法の既設額縁取外工程を説明する説明図である。図８は、実施例１の窓の交換方法の新設額縁取付工程を説明する説明図である。図９は、実施例１の窓の交換方法の新設サッシ取付工程を説明する説明図である。図１０は、実施例１の窓の交換方法のガスケット取付工程を説明する説明図である。以下、図４〜図１０に基づいて、実施例１の窓の交換方法を説明する。
【００４４】
（ガスケット取外工程）
ガスケット取外工程では、図４に示すように、既設サッシ１１の縁部１１ａと、外壁４０との間の隙間に埋め込まれたガスケット５２を取り外す。取り外したガスケット５２は、例えば養生テープ等によって、外壁４０に仮止めしておく。
【００４５】
（開口形成工程）
開口形成工程では、図５に示すように、既設サッシ１１の縁部１１ａの屋外側の面に開口１１ｄを形成する。開口１１ｄは、例えばタケノコドリル等を使用して形成される。開口１１ｄは、リベット９０Ａの取付位置に対応する部分に形成される。
【００４６】
（既設サッシ取外工程）
既設サッシ取外工程では、図５に示すように、例えば電動ドリルＤ１を開口１１ｄへ挿入して、リベット９０Ａに押し付けることで、リベット９０Ａを取り外す。この際、潤滑スプレーによって、潤滑材をリベット９０Ａの周辺に塗布してもよい。
【００４７】
次いで、既設窓本体１５を既設サッシ１１から取り外して、ビス９０Ｂとビス９０Ｃを取り外す。次いで、図６に示すように、既設サッシ１１を取り外す。次いで、リベット９０Ａが取り付けられていた枠材５１の貫通孔５１ａに、屋外側から防水テープＴを貼り付ける。
【００４８】
（既設額縁取外工程）
既設額縁取外工程では、図７に示すように、例えば電動ノコギリ（ジグソー）Ｄ２を使用して、内壁３０の縁材３２を切断する。縁材３２の切断箇所は、既設額縁２０の正面部２０ａの端部付近である。
【００４９】
この際、電動ノコギリＤ２の刃先を、縁材３２の厚み方向に対して縁材３２の端面３２ａに近づく方向（図７で右方向）に傾斜させた姿勢で、縁材３２を切断する。切断された縁材３２の端部は、傾斜した面の切断面１３２ａを構成する。なお、縁材３２を切断する際に、既設額縁２０を削ってもよい。これにより、電動ノコギリＤ２の刃先が枠材５１に当たり、枠材５１を傷付けてしまうことを防止する。次いで、既設額縁２０を取り外す。
【００５０】
（新設額縁取付工程）
新設額縁取付工程では、図８に示すように、縁材３２の切断面１３２ａを、新設額縁１２０で覆うように配置して、屋内側からビス１９０Ｄによって、内壁３０の縁材３２に取り付ける。
【００５１】
（新設サッシ取付工程）
新設サッシ取付工程では、図９に示すように、新設サッシ１１１の縁部１１１ａを、ビス１９０Ａによって、Ｌ字金具１６１を介して、枠材５１に取り付ける。また、新設サッシ１１１の延在部１１１ｂを、ビス１９０Ｂによって、枠材５１に取り付ける。また、新設サッシ１１１の段部１１１ｃを、ビス１９０Ｃによって、新設額縁１２０に取り付ける。次いで、新設窓本体１５０を新設サッシ１１１に取り付ける。
【００５２】
（ガスケット取付工程）
ガスケット取付工程では、図１０に示すように、新設サッシ１１１の縁部１１１ａと、外壁４０との間の隙間に、外壁４０に仮止めしていたガスケット５２を埋め込んで配置する。この際、ガスケット５２は、Ｌ字金具１６１とビス１９０Ａを覆うように配置される。
【００５３】
以上の工程を経て、既設窓１０を新設窓１１０に交換する。
【００５４】
次に、実施例１の窓交換方法及び窓取付構造の作用効果を説明する。実施例１の窓交換方法は、既設窓１０を新設窓１１０に交換する窓交換方法である。この窓交換方法は、既設サッシ１１に、開口１１ｄを形成する開口形成工程と、既設サッシ１１を枠材５１に取り付けている既設サッシ取付具（リベット９０Ａ）を、開口１１ｄを通して取り外して、既設サッシ１１を取り外す既設サッシ取外工程と、内壁３０を切断して既設額縁２０を取り外す既設額縁取外工程と、新設額縁１２０を内壁３０に取り付ける新設額縁取付工程と、新設サッシ１１１を枠材５１に取り付ける新設サッシ取付工程と、を含む（図４〜図１０）。
【００５５】
これにより、内壁３０の石膏ボード３１を補修したり、壁紙３３を貼り替えたりすることなく、既設サッシ１１及び既設額縁２０を新設サッシ１１１及び新設額縁１２０に交換することができる。そのため、既設の内壁３０を利用しつつ、既設サッシ１１及び既設額縁２０を新設サッシ１１１及び新設額縁１２０に交換することができる。その結果、既設窓１０を新設窓１１０に交換する交換工事を簡略化することができる。
【００５６】
実施例１の窓交換方法では、新設額縁１２０の幅Ｗ２は、既設額縁２０の幅Ｗ１より大きい（図２及び図３）。
【００５７】
これにより、既設サッシ１１の幅方向及び高さ方向と同じ大きさの新設サッシ１１１に交換することができる。また、内壁３０の切断面１３２ａを、新設額縁１２０で覆うことができる。そのため、内壁３０の切断面１３２ａに対して、補修をする必要がない。その結果、既設窓１０を新設窓１１０に交換する交換工事を簡略化することができる。
【００５８】
実施例１の窓交換方法では、新設額縁１２０の奥行Ｎ２は、新設サッシ１１１の奥行Ｌ２に合わせて調整可能である（図３）。
【００５９】
これにより、新設サッシ１１１の奥行Ｌ２に合わせて、新設額縁１２０の奥行Ｎ２を調整することができる。そのため、例えばシングルガラスの既設サッシ１１を、ペアガラスの新設サッシ１１１に交換する際、外壁４０の表面に対する既設サッシ１１の位置と新設サッシ１１１の位置を、同じ位置にすることができる。また、内壁３０の表面に対する既設額縁２０の位置と新設額縁１２０の位置を、同じ位置にすることができる。その結果、既設窓１０から新設窓１１０への交換の前後で、同じ見栄えとすることができる。
【００６０】
実施例１の窓取付構造では、既設サッシ１１及び既設額縁２０が取り外された場所に、新設サッシ１１１及び新設額縁１２０を取り付ける窓取付構造である。この窓取付構造は、新設サッシ１１１を枠材５１に固定するための固定金具（Ｌ字金具１６１）と、固定金具（Ｌ字金具１６１）を覆うように配置されるシール材（ガスケット５２）と、を備える（図３）。
【００６１】
これにより、固定金具（Ｌ字金具１６１）をシール材（ガスケット５２）で隠すことができる。そのため、見栄えのよい外観とすることができる。
【００６２】
実施例１の窓取付構造では、新設額縁１２０は、額縁固定手段（ビス１９０Ｄ）によって内壁３０に固定される（図３）
【００６３】
これにより、既設の内壁３０の切断面１３２ａを、新設額縁１２０で覆うことができる。そのため、既設の内壁３０の切断面１３２ａに対して、補修をする必要がない。その結果、窓取付工事を簡略化することができる。
【００６４】
以上、本開示の窓交換方法及び窓取付構造を実施例１に基づき説明してきた。しかし、具体的な構成については、この実施例に限られるものではなく、特許請求の範囲の各請求項に係る発明の要旨を逸脱しない限り、設計の変更や追加等は許容される。
【００６５】
実施例１では、既設窓１０を新設窓１１０に交換する際に、ガスケット５２を再利用する例を示した。しかし、既設窓１０を新設窓１１０に交換する際に、新設のガスケットを使用してもよい。
【００６６】
実施例１では、シール材をガスケット５２とする例を示した。しかし、シール材としては、コーキング剤を充填してもよい。
【００６７】
実施例１では、Ｌ字金具１６１によって、新設サッシ１１１の縁部１１１ａを枠材５１に固定する例を示した。しかし、新設サッシに孔を形成して、この孔からビスを挿入して、新設サッシの縁部を枠材に固定してもよい。この場合、新設サッシの孔にシール材としてのキャップを設けてもよい。
【００６８】
実施例１では、本発明をユニット建物に適用する例を示した。しかし、本発明は、一般的な鉄骨構造の建物や、在来工法の建物、ツーバイフォー式の建物にも適用可能である。
【符号の説明】
【００６９】
１０      既設窓
１１      既設サッシ
１１ｄ    開口
２０      既設額縁
３０      内壁
５１      枠材
５２      ガスケット（シール材の一例）
９０Ａ    リベット（既設サッシ取付具の一例）
１１０    新設窓
１１１    新設サッシ
１２０    新設額縁
１６１    Ｌ字金具（固定金具の一例）
１９０Ｄ  ビス（額縁固定手段の一例）
【図１】
2020041271.tif 000003
【図２】
2020041271.tif 000004
【図３】
2020041271.tif 000005
【図４】
2020041271.tif 000006
【図５】
2020041271.tif 000007
【図６】
2020041271.tif 000008
【図７】
2020041271.tif 000009
【図８】
2020041271.tif 000010
【図９】
2020041271.tif 000011
【図１０】
2020041271.tif 000012